(57)【要約】【課題】  従来のタブレットケースを改良する。【解決手段】  透明状のプラスチック素材を用い長方立方体かつ上面に開口部を有するように一体形成してなる薬玉収納用のタブレット収納ケースと、白色状のプラスチック素材を用い一面に開口部を有するタブレット開口部に嵌合する長方形状の部材を設けかつ他面に嵌合部材の上面に凹状の保持板とを一体形成してなる収納ケース連結部材と白色状のプラスチック素材を用い開口部材の収納ケース連結部材の保持板に装着する長方形状の部材をロック付のスライド操作部材を設けたスライド取得部材と透明状のプラスチック素材を用い片面開口部を有する蓋状に一体形成しかつ該蓋内部に薬玉落下用のタブレット受皿部を有する透明キャップとから構成される薬玉用タブレットケースの提供。【選択図】  図１
2006346317.tif 000002
【特許請求の範囲】
【請求項１】
医療用薬品・健康増強用食品等の薬玉を収納するタブレット収納容器部と薬玉の受皿容器部と両容器のジョイント部とから構成されるプラスチック製のタブレットケースにおいて、透明状のプラスチック素材を用い長方立方体かつ上面に開口部を有するように一体形成してなる薬玉収納用のタブレット収納ケースと、白色状のプラスチック素材を用い一面に開口部を有するタブレット開口部に嵌合する長方形状の部材を設けかつ他面に嵌合部材の上面に凹状の保持板とを一体形成し、該両部材に薬玉落下用の開口部を孔設してなる収納ケース連結部材と、白色状のプラスチック素材を用い開口部付の収納ケース連結部材の保持板に装着する長方形状の部材を設け、更に該部材内にスライド部材の左右摺動を可能にするロック付のスライド操作部材を設け、前記両部材に収納ケース連結部の薬玉落下用孔の開閉操作を自在にするスライド取得部材と、透明状のプラスチック素材を用い片面開口部を有する蓋状に一体形成しかつ該蓋内部に薬玉落下用のタブレット受皿部を有する透明キャップと、から構成されることを特徴とする薬玉用タブレットケース。
【請求項２】
前項の薬玉用タブレットケースにおいて、収納ケース連結部材の開口部に片側傾斜面を設け、更に前記スライド部材をロック部にて左右に摺動操作するスライド操作部材の表出面に数個の係止突起部を設けかつ該係止突起部を手の指で左右に作動してタブレット落下孔の開閉を自在操作する請求項１記載の薬玉用タブレットケース。
【請求項３】
請求項１記載の薬玉タブレット用タブレットケースにおいて、スライドキャップ穴を拡大しかつスライドロック位置を変更して２個出しを防止しかつスライド部の傾斜位置を変更して玉詰まりを防止し、更につなぎ部を拡大して薬玉がスライド部より入り込みキャップ側に送り出すときの玉詰りを防止する請求項１記載の薬玉用タブレットケース。
【請求項４】
請求項１記載の薬玉用タブレットケースにおいて、薬玉サンプルの寸法をフルイ選別後の大玉とフルイ選別前の大小玉とに大別し、フルイ選別後の大玉の寸法を長さ４．２ｍｍ以上の最大サイズと長さ３．０〜４．１ｍｍの大サイズと長さ２．０〜２．９ｍｍの小サイズと長さ２．０〜１．０ｍｍの最小サイズとし、一方フルイ選別前の大小玉の寸法を長さ４．２〜４．９ｍｍの最大サイズと長さ３．０〜４．２ｍｍの大サイズと長さ２．６ｍｍの小サイズとサイズなしの最小サイズにして玉詰まりを防止する請求項１記載の薬玉用タブレットケース。
【請求項５】
請求項４記載のフルイ選別後の大玉及びフルイ選別前の大小玉のサイズに合わせ、薬玉の形状を双子形又は双子変形と楕円形及び三つ子形と双子形破損形とに大別してなる請求項４記載の薬玉用タブレットケース。
【請求項６】
請求項５記載の双子薬玉片割防止として、穴横の傾斜部の形状をリブ状に形成しかつ該リブの隙間に双子薬玉の片側穴の手前で挟むことを可能となるように形成した請求項５記載の薬玉用タブレットケース。
【請求項７】
医療用薬品・健康増強用食品等の薬玉を収納するタブレット収納容器部と薬玉の受皿容器部と両容器のジョイント部とから構成されるプラスチック製のタブレットケースにおいて、透明状のプラスチック素材を用い長方立方体かつ上面に開口部を有するように一体形成してなる薬玉収納用のタブレット収納ケースと、白色状のプラスチック素材を用い一面に開口部を有するタブレット開口部に嵌合する長方形状の部材を設けかつ他面に嵌合部材の上面に凹状の保持板とを一体形成し、該両部材に薬玉落下用の開口部を孔設してなる収納ケース連結部材と、白色状のプラスチック素材を用い開口部付の収納ケース連結部材の保持板に装着する長方形状の部材を設け、更に該部材内にスライド部材の左右摺動を可能にするロック付のスライド操作部材を設け、前記両部材に収納ケース連結部の薬玉落下用孔の開閉操作を自在にするスライド取得部材と、透明状のプラスチック素材を用い片面開口部を有する蓋状に一体形成しかつ該蓋内部に薬玉落下用のタブレット受皿部を有する透明キャップとから構成される薬玉用タブレットケースを設け、該ケース内に薬玉を収納しかつ該薬玉入りタブレット容器を開閉自在のキットケースに収納することを特徴とする薬玉用タブレットケース。
【発明の詳細な説明】
【技術分野】
【０００１】
本発明は、医療用薬品・健康増強用食品等の薬玉を収納するタブレットケースに関するが、詳しくはプラスチック素材を長方立方体状に形成したタブレット収納ケース本体にスライド操作部材を内設したスライド取付部材を着脱自在に嵌合し、更に該スライド取付部材に透明キャップを嵌合してなる薬玉用タブレットケースに関するものである。
【背景技術】
【０００２】
従来のタブレットケースとしては、例えば本出願人が開発した特願２００３−４０９０３４号のビン入り錠剤収納ケースのようなものがある。この従来ケースは、薬剤・健康促進剤・食用錠剤菓子等のビン入り錠剤の収納方法において小型式筒体の錠剤入り収納小ビンを設け該小ビンを開閉式ケース内に左右対象となるように並列かつ順次着脱が可能となることを特徴とするビン入錠剤収納方法の提供及び薬剤・健康促進剤・食用錠剤菓子等のビン入り錠剤収納ケースにおいてプラスチック製の素材を小型式筒体に成形してなる蓋付の錠剤の収納小ビンと該小ビンを並列かつ着脱自在にしたプラスチック製のインナーケースと該インナーケースを左右対象に装着かつ着脱自在となる開閉自在のプラスチック製のキットケース本体とから構成されることを特徴とするビン入り錠剤収納ケースの提供にある。このケースのうち、本願発明はプラスチック製の素材を小型式筒体に成形してなる蓋付の錠剤の収納小ビンと、該小ビンを並列かつ着脱自在にしたプラスチック製のインナーケースと、該インナーケースを左右対象に装着かつ着脱自在となる開閉自在のプラスチック製のキットケース本体と、から構成されるビン入り錠剤収納ケースの部分に該当するものである。すなわち、錠剤収納小ビンの錠剤取出口を小ビン内蓋の中央部から多少ずらして円形状に成形して錠剤取出口から１錠づつ錠剤を取り出すことを可能にしてなるビン入り錠剤収納ケースの改良に関するものである。
【特許文献１】特願２００３−４０９０３４  更に、従来のタブレットケースについて図１１乃至図１３により説明すれば、まず従来の薬玉タブレットケース３０は円形状に一体形成された薬玉用収納ケース３９とキャップ部３１とから構成されている。そして、薬玉用収納ケース３９は薬玉Ｍを収納する透明ケース３８の開口上面部にキャップ螺着部３７を有しかつ数個の薬玉取出孔３６を有する固定キャップ３５が嵌合されており、更に固定キャップ３５には薬玉取出孔３４を有する手動回転部材３３が取付けられている。この手動回転部材３３には、係止片３２が形成されているキャップ部３１が着脱自在になるように嵌合されている。なお、Ｒは薬玉用収納ケース３９に貼着されている説明用ラベルである。このように構成されている薬玉用タブレットケースは、図１１に示すようにキャップ部３１を固定キャップ３５から取りはずし固定キャップを手の指Ｗで回転させて透明ケース３８内に収納されている薬玉Ｍを薬玉取出孔３６から１個づつ取り出すことになる。
【０００３】
なお、従来のビン入り錠剤の収納ケースは例えば図１４に示すようにキットケース本体４１が硬質性のプラスチック製からなり、しかもキットケース本体４１の開閉にはツメ留部４２を爪で開閉する方法になっている。従って、２ケ所のツメ留部４２を爪で開かなければならないので爪を痛め、特に女性の場合は長い爪でひっかくことになり爪がはがれることも生じるので非常に危険である。また収納されるビンがガラス製であり、一方ビン収納部４４が非常に柔らかいウレタン製のためにガラス製の収納ビンをビン収納部４４に収納し固定するのが困難かつ不可能となり、着脱に多くの不都合が生じていた。また、ビン収納部４４の錠剤取出口が通常のビンと同じであるため、一度に多くの錠剤が取り出されてしまい多くの場合いちいち元に戻しており非常に不便であった。更に、キットケース本体４４の色が一色であるばかりか中身の錠剤が外部から見えないので、いちいち開閉して中の錠剤を確認しなければならず種々の不便さや、作業面の効率性も悪いなど多くの問題が生じていた。
【発明の開示】
【発明が解決しようとする課題】
【０００４】
このような従来の薬玉用タブレットケースは従来から有する小円形状のタブレットケースであり、主として大きな収納ケースに多量のタブレットケースを収納することを目的に構成されているので、１個づつ使用するケースには向いていない欠点があった。すなわち、従来のタブレットケースは薬玉を１個づつ連続的に取り出す方法のために連続して薬玉が取り出されることになるので、所望する数量の薬玉を正確に取り出すことが不可能であった。ここに、本発明が解決しようとする課題がある。
【課題を解決するための手段】
【０００５】
本発明は上記の如き課題を解決するために開発したものであって、医療用薬品・健康増強用食品等の薬玉を収納するタブレット収納容器部と薬玉の受皿容器部と両容器のジョイント部とから構成されるプラスチック製のタブレットケースにおいて、透明状のプラスチック素材を用い長方立方体かつ上面に開口部を有するように一体形成してなる薬玉収納用のタブレット収納ケースと、白色状のプラスチック素材を用い一面に開口部を有するタブレット開口部に嵌合する長方形状の部材を設けかつ他面に嵌合部材の上面に凹状の保持板とを一体形成し、該両部材に薬玉落下用の開口部を孔設してなる収納ケース連結部材と、白色状のプラスチック素材を用い開口部付の収納ケース連結部材の保持板に装着する長方形状の部材を設け、更に該部材内にスライド部材の左右摺動を可能にするロック付のスライド操作部材を設け、前記両部材に収納ケース連結部の薬玉落下用孔の開閉操作を自在にするスライド取得部材と、透明状のプラスチック素材を用い片面開口部を有する蓋状に一体形成しかつ該蓋内部に薬玉落下用のタブレット受皿部を有する透明キャップとから構成されることを特徴とする薬玉用タブレットケースの提供にあり、また前記の薬玉用タブレットケースにおいて収納ケース連結部材の開口部に片側傾斜面を設け、更に前記スライド部材をロック部にて左右に摺動操作するスライド操作部材の表出面に数個の係止突起部を設けかつ該係止突起部を手の指で左右に作動してタブレット落下孔の開閉を自在操作する薬玉用タブレットケースの提供にあり、また前記の薬玉タブレット用タブレットケースにおいてスライドキャップ穴を拡大しかつスライドロック位置を変更して２個出しを防止しかつスライド部の傾斜位置を変更して玉詰まりを防止し更につなぎ部を拡大して薬玉がスライド部より入り込みキャップ側に送り出すときの玉詰りを防止する薬玉用タブレットケースの提供にあり、また前記の薬玉用タブレットケースにおいて薬玉サンプルの寸法をフルイ選別後の大玉とフルイ選別前の大小玉とに大別しフルイ選別後の大玉の寸法を長さ４．２ｍｍ以上の最大サイズと長さ３．０〜４．１ｍｍの大サイズと長さ２．０〜２．９ｍｍの小サイズと長さ２．０〜１．０ｍｍの最小サイズとし、一方フルイ選別前の大小玉の寸法を長さ４．２〜４．９ｍｍの最大サイズと長さ３．０〜４．２ｍｍの大サイズと長さ２．６ｍｍの小サイズとサイズなしの最小サイズにして玉詰まりを防止し、更に前記のフルイ選別後の大玉及びフルイ選別前の大小玉のサイズに合わせ薬玉の形状を双子形又は双子変形と楕円形及び三つ子形と双子形破損形とに大別してなり、更に前記の双子薬玉片割防止として穴横の傾斜部の形状をリブ状に形成しかつ該リブの隙間に双子薬玉の片側穴の手前で挟むことを可能となるように形成した薬玉用タブレットケースの提供にある。
【０００６】
また本発明は、医療用薬品・健康増強用食品等の薬玉を収納するタブレット収納容器部と薬玉の受皿容器部と両容器のジョイント部とから構成されるプラスチック製のタブレットケースにおいて、透明状のプラスチック素材を用い長方立方体かつ上面に開口部を有するように一体形成してなる薬玉収納用のタブレット収納ケースと、白色状のプラスチック素材を用い一面に開口部を有するタブレット開口部に嵌合する長方形状の部材を設けかつ他面に嵌合部材の上面に凹状の保持板とを一体形成し、該両部材に薬玉落下用の開口部を孔設してなる収納ケース連結部材と、白色状のプラスチック素材を用い開口部付の収納ケース連結部材の保持板に装着する長方形状の部材を設け、更に該部材内にスライド部材の左右摺動を可能にするロック付のスライド操作部材を設け、前記両部材に収納ケース連結部の薬玉落下用孔の開閉操作を自在にするスライド取得部材と、透明状のプラスチック素材を用い片面開口部を有する蓋状に一体形成しかつ該蓋内部に薬玉落下用のタブレット受皿部を有する透明キャップとから構成される薬玉用タブレットケースを設け、該ケース内に薬玉を収納しかつ該薬玉入りタブレット容器を開閉自在のキットケースに収納することを特徴とする薬玉用タブレットケースの提供にある。
【発明の効果】
【０００７】
本発明は、医療用薬品・健康増強用食品等の薬玉を収納するタブレット収納容器部と薬玉の受皿容器部と両容器のジョイント部とから構成されるプラスチック製のタブレットケースにおいて、透明状のプラスチック素材を用い長方立方体かつ上面に開口部を有するように一体形成してなる薬玉収納用のタブレット収納ケースと、白色状のプラスチック素材を用い一面に開口部を有するタブレット開口部に嵌合する長方形状の部材を設けかつ他面に嵌合部材の上面に凹状の保持板とを一体形成し、該両部材に薬玉落下用の開口部を孔設してなる収納ケース連結部材と、白色状のプラスチック素材を用い開口部付の収納ケース連結部材の保持板に装着する長方形状の部材を設け、更に該部材内にスライド部材の左右摺動を可能にするロック付のスライド操作部材を設け、前記両部材に収納ケース連結部の薬玉落下用孔の開閉操作を自在にするスライド取得部材と、透明状のプラスチック素材を用い片面開口部を有する蓋状に一体形成しかつ該蓋内部に薬玉落下用のタブレット受皿部を有する透明キャップと、から構成されることを特徴とする薬玉用タブレットケースであり、また前記の薬玉用タブレットケースにおいて収納ケース連結部材の開口部に片側傾斜面を設け、更に前記スライド部材をロック部にて左右に摺動操作するスライド操作部材の表出面に数個の係止突起部を設けかつ該係止突起部を手の指で左右に作動してタブレット落下孔の開閉を自在操作する薬玉用タブレットケースであるから、従来のタブレットケースでは得られない次のような多くの効果が得られる。
ア、本発明のタブレット収納ケースによれば、長方形の箱状に形成されているので多量の薬玉が収納でき、しかも薬玉を１個づつ取り出すためのスライド操作部材が取付けられているので、必要とする薬玉を必要の時に幾つでも数えながら安全かつ確実に取り出すことができる。
イ、また本発明の透明キャップにすることによって、透明キャップを取り付けたままでタブレット収納ケース内の薬玉を取り出してもタブレット受皿部に所望の薬玉を自由自在に落下収納させることが可能であり、しかも薬玉が取り出されタブレット受皿部をタブレット収納ケースから取りはずしタブレット受皿部を容器がわりにして薬玉を口の中に入れることができる。
ウ、更に本発明によれば、タブレット収納ケースに嵌合されるスライド取付部材をスライド操作部材とスライド部材と収納ケース連結部材とを分解組立方式に構成することもできるとともに、これらの部材を一体に構成させることができるのでプラスチック成型が簡便でかつ量産成型が可能となる。
【０００８】
また本発明は、前記の薬玉タブレット用タブレットケースにおいてスライドキャップ穴を拡大しかつスライドロック位置を変更して２個出しを防止しかつスライド部の傾斜位置を変更して玉詰まりを防止し更につなぎ部を拡大して薬玉がスライド部より入り込みキャップ側に送り出すときの玉詰りを防止する薬玉用タブレットケースであり、また前記の薬玉用タブレットケースにおいて薬玉サンプルの寸法をフルイ選別後の大玉とフルイ選別前の大小玉とに大別し、フルイ選別後の大玉の寸法を長さ４．２ｍｍ以上の最大サイズと長さ３．０〜４．１ｍｍの大サイズと長さ２．０〜２．９ｍｍの小サイズと長さ２．０〜１．０ｍｍの最小サイズとし一方フルイ選別前の大小玉の寸法を長さ４．２〜４．９ｍｍの最大サイズと長さ３．０〜４．２ｍｍの大サイズと長さ２．６ｍｍの小サイズとサイズなしの最小サイズにして玉詰まりを防止する薬玉用タブレットケースであり、また前記のフルイ選別後の大玉及びフルイ選別前の大小玉のサイズに合わせ薬玉の形状を双子形又は双子変形と楕円形及び三つ子形と双子形破損形とに大別してなる薬玉用タブレットケースであり、また前記の双子薬玉片割防止として穴横の傾斜部の形状をリブ状に形成しかつ該リブの隙間に双子薬玉の片側穴の手前で挟むことを可能となるように形成した薬玉用タブレットケースであるから、従来ケースでは不可能・困難とされていた薬玉大による穴詰まりを未然に防止することができるようになった。特に、１００粒ケースのような場合には薬玉サンプルの寸法に合わせた穴の寸法にすることでフルイ選別前の薬玉は破損することなく使用することが可能となった。
【０００９】
また、本発明は、医療用薬品・健康増強用食品等の薬玉を収納するタブレット収納容器部と薬玉の受皿容器部と両容器のジョイント部とから構成されるプラスチック製のタブレットケースにおいて、透明状のプラスチック素材を用い長方立方体かつ上面に開口部を有するように一体形成してなる薬玉収納用のタブレット収納ケースと、白色状のプラスチック素材を用い一面に開口部を有するタブレット開口部に嵌合する長方形状の部材を設けかつ他面に嵌合部材の上面に凹状の保持板とを一体形成し、該両部材に薬玉落下用の開口部を孔設してなる収納ケース連結部材と、白色状のプラスチック素材を用い開口部付の収納ケース連結部材の保持板に装着する長方形状の部材を設け、更に該部材内にスライド部材の左右摺動を可能にするロック付のスライド操作部材を設け、前記両部材に収納ケース連結部の薬玉落下用孔の開閉操作を自在にするスライド取得部材と、透明状のプラスチック素材を用い片面開口部を有する蓋状に一体形成しかつ該蓋内部に薬玉落下用のタブレット受皿部を有する透明キャップとから構成される薬玉用タブレットケースを設け、該ケース内に薬玉を収納しかつ該薬玉入りタブレット容器を開閉自在のキットケースに収納することを特徴とする薬玉用タブレットケースにすることによって、従来ケースを改良するだけで本発明ケースにも使用することができる。
【発明を実施するための最良の形態】
【００１０】
本発明の最良な実施形態は、医療用薬品・健康増強用食品等の薬玉を収納するタブレット収納容器部と薬玉の受皿容器部と両容器のジョイント部とから構成されるプラスチック製のタブレットケースにおいて、透明状のプラスチック素材を用い長方立方体かつ上面に開口部を有するように一体形成してなる薬玉収納用のタブレット収納ケースと、白色状のプラスチック素材を用い一面に開口部を有するタブレット開口部に嵌合する長方形状の部材を設けかつ他面に嵌合部材の上面に凹状の保持板とを一体形成し、該両部材に薬玉落下用の開口部を孔設してなる収納ケース連結部材と、白色状のプラスチック素材を用い開口部付の収納ケース連結部材の保持板に装着する長方形状の部材を設け、更に該部材内にスライド部材の左右摺動を可能にするロック付のスライド操作部材を設け、前記両部材に収納ケース連結部の薬玉落下用孔の開閉操作を自在にするスライド取得部材と、透明状のプラスチック素材を用い片面開口部を有する蓋状に一体形成しかつ該蓋内部に薬玉落下用のタブレット受皿部を有する透明キャップとから構成されることを特徴とする薬玉用タブレットケースであり、また前記の薬玉用タブレットケースにおいて収納ケース連結部材の開口部に片側傾斜面を設け、更に前記スライド部材をロック部にて左右に摺動操作するスライド操作部材の表出面に数個の係止突起部を設けかつ該係止突起部を手の指で左右に作動してタブレット落下孔の開閉を自在操作する薬玉用タブレットケースであるから、従来の単なる収納ケースよりも多量の薬玉を収納できるとともに必要時に必要個数の薬玉を簡単かつ確実に取り出すことができる。
【００１１】
また本発明の最良な実施形態は、前記の薬玉タブレット用タブレットケースにおいてスライドキャップ穴を拡大しかつスライドロック位置を変更して２個出しを防止しかつスライド部の傾斜位置を変更して玉詰まりを防止し更につなぎ部を拡大して薬玉がスライド部より入り込みキャップ側に送り出すときの玉詰りを防止することができ、しかも薬玉サンプルの寸法をフルイ選別後の大玉とフルイ選別前の大小玉とに大別しフルイ選別後の大玉の寸法を長さ４．２ｍｍ以上の最大サイズと長さ３．０〜４．１ｍｍの大サイズと長さ２．０〜２．９ｍｍの小サイズと長さ２．０〜１．０ｍｍの最小サイズとし、一方フルイ選別前の大小玉の寸法を長さ４．２〜４．９ｍｍの最大サイズと長さ３．０〜４．２ｍｍの大サイズと長さ２．６ｍｍの小サイズとサイズなしの最小サイズにして玉詰まりを防止することができ、また前記フルイ選別後の大玉及びフルイ選別前の大小玉のサイズに合わせ薬玉の形状を双子形又は双子変形と楕円形及び三つ子形と双子形破損形とに大別してなり、また双子薬玉片割防止として穴横の傾斜部の形状をリブ状に形成しかつ該リブの隙間に双子薬玉の片側穴の手前で挟むことを可能となるように形成した薬玉用タブレットケースであるから、薬玉の大小にかかわらず穴詰まりを未然に防止することができる。
【００１２】
更に本発明の最良な実施形態は、医療用薬品・健康増強用食品等の薬玉を収納するタブレット収納容器部と薬玉の受皿容器部と両容器のジョイント部とから構成されるプラスチック製のタブレットケースにおいて、透明状のプラスチック素材を用い長方立方体かつ上面に開口部を有するように一体形成してなる薬玉収納用のタブレット収納ケースと、白色状のプラスチック素材を用い一面に開口部を有するタブレット開口部に嵌合する長方形状の部材を設けかつ他面に嵌合部材の上面に凹状の保持板とを一体形成し、該両部材に薬玉落下用の開口部を孔設してなる収納ケース連結部材と、白色状のプラスチック素材を用い開口部付の収納ケース連結部材の保持板に装着する長方形状の部材を設け、更に該部材内にスライド部材の左右摺動を可能にするロック付のスライド操作部材を設け、前記両部材に収納ケース連結部の薬玉落下用孔の開閉操作を自在にするスライド取得部材と、透明状のプラスチック素材を用い片面開口部を有する蓋状に一体形成しかつ該蓋内部に薬玉落下用のタブレット受皿部を有する透明キャップとから構成される薬玉用タブレットケースを設け、該ケース内に薬玉を収納しかつ該薬玉入りタブレット容器を開閉自在のキットケースに収納することを特徴とする薬玉用タブレットケースであるから、従来の収納容器に本ケースを収納して持ち搬びすることが可能となる。
【実施例１】
【００１３】
以下、図面に従って本発明の薬玉用タブレットケースについて説明する。
【００１４】
図１と図２は、本発明からなる薬玉用タブレットケースにしたものであり、１はその薬玉タブレットケース本体である。この薬玉用タブレットケース本体１は、タブレット収納ケース２とスライド取付部材１１と透明キャップ１７とから構成されている。タブレット収納ケース２は透明状のプラスチック素材を用い上面に開口部を有する長方立方体に一体形成されている。スライド取付部材１１は、収納ケース連結部材３とスライド部材８を内設してスライド操作部材１５を嵌合できるように構成されている。透明キャップ１７は、スライド取付部材１１に係止片１３と１９を介して嵌合するキャップであり、開口部１８とタブレット受皿部２０が形成されている。
【００１５】
次に、本発明の要部であるスライド取付部材１１と収納ケース連結部材３について説明すれば、まず収納ケース連結部材３は白色状のプラスチック素材を用いてタブレット収納ケース２の開口部に嵌合可能にしかつ片面は開口し底面に薬玉Ｍを落下させる開口部４が形成されている。この底面には収納ケース連結部材と同素材を凹状に形成しかつ両側には突起片７、７、７、７を設け、更に開口部４に対応する開口部４が形成されている。その際、保持板５に有する開口部４には傾斜面を有する片側傾斜面６が形成されている。また、スライド取付部材１１には収納ケース連結部材と同素材を用いてタブレット落下孔１０とロック部９とを有するスライド部材８を形成し、一方スライド取付部材１１の方は収納ケース連結部材と同素材を用いて収納ケース連結部材３に有する保持板５、５に嵌合可能となるように形成れている。この嵌合の着脱は、突起片７、７、７、７と突起片係止孔１３、１３、１３、１３とによって行われる。また、スライド部材のタブレット落下孔１０とスライド取付部材１１のタブレット落下孔１０とは対応されており、スライド操作部材１５のロック部９により、開閉操作されることになっている。スライド操作部材１５のロック部９により開閉操作されることになっている。このスライド操作部材１５には、スライド取付部材８のロック９と連動するロック部９が取り付けられており、このロック部９、９はスライド取付部材１５に形成されている３個の係止突起部１６、１６、１６で摺動操作を可能にしてある。一方、スライド取付部材１１の一側面にはスライド取付部材１５を取付けるための小孔を有するスライド部１２があり、このスライド部１２にスライド取付部材１５を差し込み係止突起部１６、１６、１６を手の指Ｗで左右に摺動操作してタブレット落下孔１０、１０の開閉を自在になるように構成されている。更に、図３によって本発明の薬玉用タブレットケースの組立と分解状態を説明すれば、まずタブレット収納ケース２の上方開口部に収納ケース連結部材を嵌合し、ついで収納ケース連結部材１１の保持板７、７上にスライド部材８を置きスライド取付部材１５をスライド部１２に取り付けられているスライド取付部材１１を突起片係止孔１３、１３、１３、１３を介して収納ケース連結部材３に嵌合する。そして、最後にスライド取付部材１１に係止片１９、１９を介して空間部１８を有する透明キャップ１７を嵌合する。このようにして、組み立てられた薬玉用タブレットケース本体１は図１に示されているとおりである。
【００１６】
更に図４は本発明ケースの他の実施例を示したものであり、基本的な構成は前述の薬玉用タブレットケース本体１と同じであるので相異点のみについて説明する。まず、タブレット収納ケースケース２と透明キャップ１７とは全く同一構成となっており、異なる点は収納ケース連結部材３とスライド取付部材１１との一部構成点である。図３と図４とを対比すれば明らかのように、スライド部材８のタブレット落下孔１０と収納ケース連結部材３の開口部４及び片傾斜面６が大きく異なっている。他の実施例の方には、片側傾斜面６が無くしかもタブレット落下孔の形成が相異している。この相異点を設けたのは、前述の薬玉用タブレットケース本体よりも成型加工方法を簡便にするとともにコストダウンを図るためであり、機能的には両実施例においても大きく異るものではない。
【００１７】
更に図５と図６とにより他の実施例について説明すれば、この実施例の相異点は図２と図３及び図４と対比すれば明らかのように収納ケース連結部材３に保持されている保持板５に形成されている開口部４が円形である。このように円形に形成することによって、図７乃至図１０に示すようなスライドキャップ部Ａとスライド部Ｂとつなぎ部Ｃとが異なることになる。まず図７のスライドキャップ部Ａの（ａ）と（ｂ）とに示すように薬玉落下穴２２より２４の薬玉落下穴の方が大きく、またスライドロック２３と２５の形状が異なっている。次に、図８のスライド部Ｂの（ａ）と（ｂ）とに示すように薬玉落下穴２２より２４の薬玉落下穴の方が大きくなり、その結果図９のつなぎ部Ｃの（ａ）と（ｂ）とに示すように薬玉下穴２２よりも２４の薬玉落下穴の方も大きくなる。すなわち、つなぎ部Ｃが図１０に示すように１０（ａ）図よりも１０（ｂ）図が大きくなっているので薬玉Ｍをスムーズに落下させることができる。
【００１８】
この関係を表１により説明すれば、他の実施例ではフルイ選別された袋より長さ４．９ｍｍ（幅ｍｍ）の双子形など４７粒が発見されるとともに、最小（幅１．３ｍｍ）の粒が２粒発見された。このことにより、いずれも現状の１００粒ケースでは玉詰まりの問題が発生し、また最小の玉は双子形が割れた片割れの１．３ｍｍの薬玉と想定される。特に１．９ｍｍ以下の薬玉は１００粒ケースでは使用不可能となる。例えば、スライド部Ｂとつなぎ部Ｃの隙間部分に入るとスライドしなくなり致命的な欠陥製品になる。一方、フルイ選別前の薬玉は想像していた以上に粉落ちが少なく破損した薬玉が全く無かったので、１００粒ケースの穴を４．９ｍｍに改造すれば粉と最小玉のみフルイ選別するだけで使用が可能となる。
【００１９】
【表１】
2006346317.tif 000003
【図面の簡単な説明】
【００２０】
【図１】本発明の薬玉用タブレットケースを示した全体斜視図。
【図２】図１に示した本発明ケースを示した拡大断面図。
【図３】図１に示した本発明ケースを示した拡大分解図。
【図４】本発明の他の実施例を示した拡大分解図。
【図５】本発明の他の実施例を示した拡大断面図。
【図６】図５に示した実施例の拡大分解図。
【図７】本発明の要部を示した新旧対比図。
【図８】本発明の要部を示した新旧対比図。
【図９】本発明の要部を示した新旧対比図。
【図１０−ａ】本発明の要部を示した新旧対比図。
【図１０−ｂ】本発明の要部を示した新旧対比図。
【図１１】従来のタブレットケースを示した全体斜視図。
【図１２】図１１に示したタブレットケースの使用状態図。
【図１３】図１１に示したタブレットケースの拡大分解図。
【図１４】図１１に示したタブレットケースの収納状態図。
【符号の説明】
【００２１】
１  薬玉用タブレットケース本体      ２  タブレット収納ケース
３  収納ケース連結部材              ４、１８  開口部
５  保持板                          ６  片側傾斜面
７  突起片                          ８  スライド部材
９  ロック部                        １０  タブレット落下孔
１１  スライド取付部材              １２  スライド部
１３  突起片係止孔                  １４、１９  係止片
１５  スライド操作部材              １６  係止突起部
１７  透明キャップ                  １８  空間部
２０  タブレット受皿部              ２１  スライドキャップ
２２、２４  薬玉落下穴              ２３  スライドロック
３０  薬玉用タブレットケース        ３１  キャップ部
３２  係止片                        ３３  手動回転部材
３４、３６  薬玉取出孔              ３５  固定キャップ
３７  キャップ螺着部                ３８  透明ケース
３９  薬玉用収納ケース
Ａ  スライドキャップ部      Ｂ  スライド部
Ｃ  つなぎ部                Ｍ  薬玉                                            Ｒ  説明用ラベル            Ｗ  指
【図１】
2006346317.tif 000004
【図２】
2006346317.tif 000005
【図３】
2006346317.tif 000006
【図４】
2006346317.tif 000007
【図５】
2006346317.tif 000008
【図６】
2006346317.tif 000009
【図７】
2006346317.tif 000010
【図８】
2006346317.tif 000011
【図９】
2006346317.tif 000012
【図１０−ａ】
2006346317.tif 000013
【図１０−ｂ】
2006346317.tif 000014
【図１１】
2006346317.tif 000015
【図１２】
2006346317.tif 000016
【図１３】
2006346317.tif 000017
【図１４】
2006346317.tif 000018